【事件の表示】
　商願２００５−４４５２７拒絶査定不服審判事件について、次のとおり審決する。
【結　論】
　本件審判の請求は、成り立たない。
【理　由】
１　本願商標
　本願商標は、「いいだのいいいえ」の平仮名文字を書してなり、第３７類「建設工事，建築工事に関する助言，建築設備の運転・点検・整備，船舶の建造，船舶の修理又は整備，航空機の修理又は整備，自転車の修理，自動車の修理又は整備，鉄道車両の修理又は整備，二輪自動車の修理又は整備，医療用機械器具の修理又は保守，印刷用又は製本用の機械器具の修理又は保守，映画機械器具の修理又は保守，化学機械器具の修理又は保守，火災報知機の修理又は保守，ガソリンステーション用装置の修理又は保守，ガラス器製造機械の修理又は保守，機械式駐車装置の修理又は保守，業務用食器洗浄機の修理又は保守，業務用電気洗濯機の修理又は保守，漁業用機械器具の修理又は保守，金属加工機械器具の修理又は保守，靴製造機械の修理又は保守，光学機械器具の修理又は保守，工業用炉の修理又は保守，鉱山機械器具の修理又は保守，ゴム製品製造機械器具の修理又は保守，集積回路製造装置の修理又は保守，自動販売機の修理又は保守，写真機械器具の修理又は保守，銃砲の修理又は保守，浄水装置の修理又は保守，食料加工用又は飲料加工用の機械器具の修理又は保守，事務用機械器具の修理又は保守，製材用・木工用又は合板用の機械器具の修理又は保守，繊維機械器具の修理又は保守，潜水用機械器具の修理又は保守，たばこ製造機械の修理又は保守，暖冷房装置の修理又は保守，電気通信機械器具の修理又は保守，電動機の修理又は保守，塗装機械器具の修理又は保守，土木機械器具の修理又は保守，農業用機械器具の修理又は保守，バーナーの修理又は保守，廃棄物圧縮装置の修理又は保守，廃棄物破砕装置の修理又は保守，配電用又は制御用の機械器具の修理又は保守，発電機の修理又は保守，パルプ製造用・製紙用又は紙工用の機械器具の修理又は保守，美容院用又は理髪店用の機械器具の修理又は保守，プラスチック加工機械器具の修理又は保守，ボイラーの修理又は保守，包装用機械器具の修理又は保守，ポンプの修理又は保守，ミシンの修理又は保守，自転車駐輪器具の修理又は保守，業務用加熱調理機械器具の修理又は保守，動力付床洗浄機の修理又は保守，水質汚濁防止装置の修理又は保守，原子力発電プラントの修理又は保守，化学プラントの修理又は保守，看板の修理又は保守，民生用電気機械器具の修理又は保守，遊園地用機械器具の修理又は保守，理化学機械器具の修理又は保守，冷凍機械器具の修理又は保守，運動用具の修理，おもちゃ又は人形の修理，家具の修理，傘の修理，ガス湯沸かし器の修理又は保守，楽器の修理又は保守，加熱器の修理又は保守，かばん類又は袋物の修理，金庫の修理又は保守，靴の修理，洗浄機能付き便座の修理，釣り具の修理，なべ類の修理又は保守，はさみ研ぎ及びほうちょう研ぎ，ビリヤード用具の修理，身飾品の修理，眼鏡の修理，遊戯用器具の修理，浴槽類の修理又は保守，毛皮製品の手入れ又は修理，洗濯，被服のプレス，畳類の修理，被服の修理，布団綿の打直し，煙突の清掃，建築物の外壁の清掃，窓の清掃，床敷物の清掃，床磨き，し尿処理槽の清掃，貯蔵槽類の清掃，道路の清掃，浴槽又は浴槽がまの清掃，電話機の消毒，有害動物の防除（農業・園芸又は林業に関するものを除く。），鉱山機械器具の貸与，洗車機の貸与，電気洗濯機の貸与，土木機械器具の貸与，床洗浄機の貸与，モップの貸与，医療用機械器具の殺菌・滅菌，衣類乾燥機の貸与，衣類脱水機の貸与，家庭用ルームクーラーの貸与，暖冷房装置の貸与」を指定役務として、平成１７年５月２０日に登録出願されたものである。
　
２　原査定の拒絶の理由
　原査定は、「本願商標は、『いいだのいいいえ』の文字を普通に用いられる方法で横書きしてなるものであるが、これは、全体として『飯田の良い家』の意味合いを看取させるものであって、かつ、『飯田』はありふれた氏と認められるものである。そうとすれば、本願商標をその指定役務中、例えば『建設工事』等の家に関連する役務に使用するときは、これに接する需要者がいずれの飯田氏の提供に係る役務であるかを認識することができないものであって、自他役務の識別標識としての機能を果たし得ないものというのが相当である。したがって、本願商標は、商標法第３条第１項第６号に該当し、前記役務以外の役務に使用するときは、役務の質の誤認を生じさせるおそれがあるので、商標法第４条第１項第１６号に該当する。」旨認定、判断をして、本願を拒絶したものである。
　
３　当審の判断
　本願商標は、前記のとおり「いいだのいいいえ」の文字よりなるところ、構成中前半部の「いいだ」の文字は、「飯田」の氏を、後半部の「いいいえ」の文字は、その指定役務との関係において、「良い家」を平仮名文字で表したものと無理なく認識し得るから、本願商標よりは、これに接する者をして、全体として「飯田の良い家」を平仮名文字で一連に表示したものと容易に認識させるにとどまるというのが相当である。そして、電話帳「ハローページ（東京都２３区個人名全国版）　東日本電信電話株式会社発行」によれば、「飯田」の氏を有する者が多数存在することが認められるから、「飯田」はありふれた氏と認められるものであり、また、「良い家」は、住みやすい家等（質）の意味合いを看取させ、そして、建築・不動産業界においては、「いいいえ」に通じる「良い家」（いい家）の文字がかかる意味合いをもって普通に用いられていることは、例えば、以下の新聞記事、インターネット情報からも窺い知ることができる。
（１）「【元気な会社】コスモ環境開発　「光と風と緑」あふれる住まい作り
　「・・・いま集合住宅の新たな形として注目されるタウンハウスに力を入れる。７日発売の『ガーデンコート成城学園』ではルーブル美術館の増築も手がけた世界的建築家の姉島和世氏が「光と風と緑」を感じる理想の家作りを体現。「『
良い家
（2006.10.16　FujiSankei Business i.　2頁　総合　Ｂ２面）
（２）「本プレゼント　マリオン
　１級建築士の布川二三夫さんが、設計士の視点から「
良い家
（３）「読書・『新・住まい学「快適な家」を手に入れるための基礎知識』
《本文》
　◆『新・住まい学「快適な家」を手に入れるための基礎知識』/坂本雄三・松下寛光共著
　いわゆる「
いい家
　快適な家となるには、断熱、気密、防露の三位一体が欠かせない。このため、断熱住宅のつくり方や省エネルギー住宅などについて、写真や図を交えて説明している。また、最適な業者選びのため、何を注意しなければならないのかなど、消費者にとって必要不可欠な情報もまとめている」
（2004.06.15　建設通信新聞）
（４）「『閑人調』　
いい家
　こういう木の家を「
いい家
いい家
（５）「【カルチャー・新刊】　図解インテリア住宅　島田晴雄監修　店舗システム協会　編
　〈買うより作る、所有価値から使用価値へ〉　日本の住宅を根本から問い直す歴史的な転換期を迎え、高度成長期のような持ち家優先の時代は終わった。大量に存在する住宅ストックを大事に使い、資産をいかに有効に流通させ、活用していくかが問われる時代。そのためには、より良質で耐久性・居住性に優れた質の高いインテリアを備えた住宅を残し、また建てることが必要となる。本当に「
いい家
（2004.01.16　繊研新聞　９面）
（６）「図書紹介・『家づくりの「目利き」になる』宮沢俊哉著
《本文》
　住宅に対する価値観は、時代による家族形態、親子関係の変化などもあり少しずつ変化している。
　著者は１５歳で大工の修業を始め、リフォーム業を経験し、現在は地域ビルダーを経営する木造注文住宅のプロだ。現在の状況を、「
良い家
良い家
（７）「【ほん】「
いい家
　「
いい家
　「
いい家
いい家
（2002.11.28　産経新聞東京朝刊　19頁）
（８）「【ＢＯＯＫ・本】『建てて、納得！』片山かおる著　「
いい家
　阪神大震災を契機に、「家」は、所有することに意味がある“消費物”や“資産”から、“生活のための器”に変ったという著者。より充実した暮らしの器としての家を東京で建てた体験をもとに、アトピーにやさしい自然素材の家、職人の技術を生かして「本物」を極めた家、高気密高断熱の次世代住宅、年を取ることが楽しい女性一人暮らしの家、コストパフォーマンスのいい家など、「理想の家」を目指して悪戦苦闘した多くの人々を取材し、
いい家
　施主、建築家、施工業者、不動産業者による覆面座談会では思わぬホンネも。著者は「建て主と建築家と施工者とが同等の立場に立って作る家」が、
いい家
（９）「新社長登場／旭ホームズ社長・東條房雄氏「住宅専業で生き残る」
　「・・・ソーラーサーキットの住宅が好調で、今期は前年度比３０棟増の９０棟販売は確実。ソーラーサーキットの戸建て住宅専業メーカーとして生き残りを図る」
　ソーラーサーキットは、鐘淵化学が開発した戸建て住宅向け外断熱工法の一種。健康に配慮した暮らしやすい住宅を実現する。同工法を紹介した書籍が１０万部以上売れて、話題となっている。
　「健康や住みやすさにこだわりを持っているコアなファンから支持を受けており、展示場来店者の５割が契約に至っている。これは驚異的な数字だ。また、わが社は大手住宅メーカーのように下請け工務店に工事を丸投げせず、責任を持って直接施工しており、品質には自信を持っている。今後は太陽光発電システム搭載、防蟻対策を進めて、さらなる『
いい家
（１０）「この人：積水ハウス社長に内定した・和田　勇氏　現場第一主義を貫く
　・・・営業理念はＣＳ（顧客満足度）活動。「住宅というのは長いスパンを必要とする商品。ＣＳ活動を充実して『
いい家
（１１）株式会社松本工務店のホームページにおいて、「奥州南部・宮大工のいる工務店。本物の木にこだわり続けて創業70年。日本独自の伝統技術の真髄を今に伝える、株式会社松本工務店
木にこだわった住まい
　伝統家屋の建築技術を継承し、日本家屋の良さを今に伝える松本工務店の一般住宅。棟梁の知恵と技が息づく本物の住宅。
　・・・木にこだわりを持ち続けて。どうせ家を建てるのなら、
いい家
　・・・天然木といっても間伐材や、樹齢の若い木などは一切使用しないのが松本工務店流。樹齢何百年といった木材しか使用しません。
　私たち松本工務店は、住まいや環境など、将来的に見ると、木本来の良さを最大限に活かしきる家づくりをして行かなくてはならないと考えます。
松本工務店の
いい家
　集成材は使わず本物の木(自然材)にこだわり続けます。
松本工務店の
いい家
　床下材には青森ヒバを使用。防蟻処理を施さなくても害虫を寄せ付けません。 
松本工務店の
いい家
　製材から乾燥、木材加工まで一貫して行うため、コストダウンに成功。
　坪当たりの木材使用量が多いのも特徴。 
松本工務店の
いい家
　シックハウス症候群対策も万全に。
　集製材を使わず天然木をふんだんに使用することで、化学物質の発生を抑えます。
　ホルムアルデヒド発散量の基準をはるかにクリアした住宅をお届けします。」の記載あり。（http://www.matsumoto-k.co.jp/residence-making/index.html）
（１２）株式会社三和建設のホームページにおいて、「三和建設の
いい家
家を建てる事は、とても大変なことですが、とても夢のある買い物です。
よりよい家づくりの為、後悔しない家の為、しっかりとした知識を身に付け、すばらしいマイホームを作り上げましょう。」の記載あり。
（http://www.sanwakensetsu.co.jp/iiiedukuri/iiiedukuri_index.html）
（１３）大東住宅株式会社のホームページにおいて、「特集１　大東住宅が考える『本当に
いい家
自分が思い描いていた良い家にめぐり会い、快適な住まいを実現するためにはどうすればよいのでしょうか。
ブランドやイメージだけでは語ることのできない、「本物の家づくり」のための大切なポイントについてお話いたします。・・・」の記事あり。（http://www.daitojyutaku.co.jp/01issue/index.html）
　そうとすれば、前記のとおり、「飯田の良い家」を認識させる本願商標をその指定役務中、例えば「建設工事」等の「家」に関連する役務に使用しても、これに接する需要者は、飯田の氏を有する者の提供に係る住みやすい家程の意味合いを表現した宣伝文句の一つとして認識し理解するにとどまるというのが相当であるから、他の「飯田」なる氏を付して取引される同種役務とその出所を識別し得るものとはいい難く、本願商標は、需要者が何人かの業務に係る役務であることを認識することができない商標といわざるを得ない。
　なお、請求人（出願人）は、本願商標「いいだのいいいえ」については、人によっては、「飯田の飯家」「良い田の良い家」又は「良いだの良い家」の意味合いを、一番自然な意味合いを持って解釈、把握され、また、「いいだの・いいいえ（だの）」「良い・だの・いいいえ」「易易だの易易言え」「謂い・だの・謂い言え」「井伊・だの・井伊・家」「いいだのいいい絵」のように解することも可能であるから、これよりは「飯田氏の家」に限定されない、いくつかの異なる解釈の可能性がある商標であって自他役務の識別標識として認識し得る旨主張しているが、本願商標は上記のとおり判断するのが妥当であるから、その主張は採用することができない。
　したがって、本願商標が商標法第３条第１項第６号に該当するとの原査定は妥当なものであって、これを取り消すことはできない。
　よって、結論のとおり審決する。